(57)【特許請求の範囲】
【請求項１】
任意のユーザが用いる公衆電話機であって、
通話網に接続する回線制御装置と、
通信網に接続する通信制御装置と、
前記ユーザが利用する通信端末と無線で接続するアクセスポイント提供装置と、
前記回線制御装置を用いて、前記ユーザの通話を制御する通話制御手段と、
前記アクセスポイント提供装置と前記通信制御装置を用いて、前記通信端末と前記通信網との接続を制御する通信制御手段と、
前記公衆電話機の位置情報を、前記通信端末に提供する位置情報提供手段
を備え、
前記通信制御手段は、料金が投入されると、前記通信端末を認証して無線通信を提供し、ユーザが投入した料金分の接続時間が終了すると、接続を切断することを特徴とする公衆電話機。
【請求項２】
前記通信網を介してアプリケーションサーバに接続し、前記アプリケーションサーバから、前記公衆電話機の周辺地域に関する周辺データを取得して、表示装置に表示する周辺情報提供手段
をさらに備え、
前記周辺データは、避難所情報を含む
ことを特徴とする請求項１に記載の公衆電話機。
【請求項３】
前記周辺情報提供手段はさらに、前記周辺データを前記通信端末に提供する
ことを特徴とする請求項２に記載の公衆電話機。
【請求項４】
前記通信端末に給電する給電装置と、
前記通信端末への給電を制御する給電制御手段
をさらに備えることを特徴とする請求項１に記載の公衆電話機。
【請求項５】
任意のユーザが用いる公衆電話機と、前記ユーザが利用する通信端末を備える通話通信システムであって、
前記公衆電話機は、
通話網に接続する回線制御装置と、
通信網に接続する通信制御装置と、
前記通信端末と無線で接続するアクセスポイント提供装置と、
前記回線制御装置を用いて、前記ユーザの通話を制御する通話制御手段と、
前記アクセスポイント提供装置と前記通信制御装置を用いて、前記通信端末と前記通信網との接続を制御する通信制御手段と、
前記公衆電話機の位置情報を、前記通信端末に提供する位置情報提供手段
を備え、
前記位置情報提供手段は、ＧＰＳに基づいた信号を出力する送信機を介して、前記通信端末に前記信号を受信させ、
前記通信端末は、
複数のＧＰＳ衛星からの信号を受信するとともに、前記公衆電話機からの前記ＧＰＳに基づいた信号を受信するＧＰＳ受信機と、
前記ＧＰＳ受信機を用いて、前記複数のＧＰＳ衛星のそれぞれからの距離と、前記公衆電話機からの距離を算出して、当該通信端末の位置を特定する位置特定手段
を備える
ことを特徴とする通話通信システム。
【発明の詳細な説明】
【技術分野】
【０００１】
本発明は、任意のユーザが用いる公衆電話機および通話通信システムに関する。
【背景技術】
【０００２】
昨今の通信ネットワークの発達に伴い、スマートフォンなどの情報機器を使って、容易に情報を収集したり、通話したりすることが可能になっている。その一方で、スマートフォンを所有していない人や、スマートフォンのバッテリーの電力が全て放電された場合、情報や通話ができず、情報途絶の状態になってしまう場合がある。
【０００３】
一方、公衆電話機については、近年利用が減少しており、既に構築されている公衆電話機設備の再利用が求められる。例えば、公衆電話機においてエンタテインメント情報を提供する方法も提案されている（例えば、特許文献１参照）。
【先行技術文献】
【特許文献】
【０００４】
【特許文献１】特開２００１−１３６２４３号公報
【発明の概要】
【発明が解決しようとする課題】
【０００５】
しかしながら、特許文献１に記載の方法においては、予めデータベースに保持されたデータを提供するに過ぎず、スマートフォンの代わりとなるような情報を提供できるものではない。例えば、特許文献１に記載の方法において、新たな情報を提供するためには、データベースが保有するデータを入れ替える必要があり、情報の陳腐化が生じる場合があり、スマートフォンで取得できる情報と大きな差異が生じる場合がある。
【０００６】
従って本発明の目的は、ユーザに最新の情報を提供可能な公衆電話機および通話通信システムを提供することである。
【課題を解決するための手段】
【０００７】
上記課題を解決するために、本発明の第１の特徴は、任意のユーザが用いる公衆電話機に関する。本発明の第１の特徴に係る公衆電話機は、通話網に接続する回線制御装置と、通信網に接続する通信制御装置と、ユーザが利用する通信端末と無線で接続するアクセスポイント提供装置と、回線制御装置を用いて、ユーザの通話を制御する通話制御手段と、アクセスポイント提供装置と通信制御装置を用いて、通信端末と通信網との接続を制御する通信制御手段を備える。
【０００８】
ここで、公衆電話機の位置情報を、通信端末に提供する位置情報提供手段をさらに備えても良い。
【０００９】
通信網を介してアプリケーションサーバに接続し、アプリケーションサーバから、公衆電話機の周辺地域に関する周辺データを取得して、表示装置に表示する周辺情報提供手段をさらに備えても良い。周辺情報提供手段はさらに、周辺データを通信端末に提供しても良い。
【００１０】
通信端末に給電する給電装置と、通信端末への給電を制御する給電制御手段をさらに備えても良い。
【００１１】
本発明の第２の特徴は、通信端末に関する。第２の特徴に係る通信端末は、複数のＧＰＳ衛星からの信号を受信するとともに、公衆電話機からの信号を受信するＧＰＳ受信機と、ＧＰＳ受信機を用いて、複数のＧＰＳ衛星のそれぞれからの距離と、公衆電話機からの距離を算出して、当該通信端末の位置を特定する位置特定手段を備える。
【００１２】
本発明の第３の特徴は、通信プログラムに関する。第３の特徴に係る通信プログラムは、複数のＧＰＳ衛星からの信号を受信するとともに、公衆電話機からの信号を受信するＧＰＳ受信機とを備えるコンピュータを、ＧＰＳ受信機を用いて、複数のＧＰＳ衛星のそれぞれからの距離と、公衆電話機からの距離を算出して、当該コンピュータの位置を特定する位置特定手段として機能させる。
【発明の効果】
【００１３】
本発明によれば、ユーザに最新の情報を提供可能な公衆電話機および通話通信システムを提供することができる。
【図面の簡単な説明】
【００１４】
【図１】本発明の実施の形態に係る通話通信システムのシステム構成を説明する図である。
【図２】本発明の実施の形態に係る公衆電話機のハードウエア構成と機能ブロックを説明する図である。
【図３】本発明の実施の形態に係る通信端末のハードウエア構成と機能ブロックを説明する図である。
【図４】本発明の実施の形態に係る公衆電話機や通信端末が表示する周辺情報の一例である。
【発明を実施するための形態】
【００１５】
次に、図面を参照して、本発明の実施の形態を説明する。以下の図面の記載において、同一または類似の部分には同一または類似の符号を付している。
【００１６】
（通話通信システム）
図１を参照して、本発明の実施の形態に係る通話通信システム９を説明する。通話通信システム９は、公衆電話機１、交換機４、アプリケーションサーバ５、および通信端末６を備える。図１に示す通話通信システム９は、３台の公衆電話機１、２台の通信端末６、１台の交換機４および１台のアプリケーションサーバ５を備えるが、これらの数は問わない。
【００１７】
通信端末６は、ユーザが利用するスマートフォンやタブレットなどである。通信端末６は、Ｗｉ−Ｆｉ等の規格に従って、公衆電話機１と無線で接続する。
【００１８】
公衆電話機１は、任意のユーザによって用いられる。公衆電話機１は、回線交換による通話網２を介して交換機４に接続するとともに、パケット交換による通信網３を介して、アプリケーションサーバ５に接続する。通話網２および通信網３は、物理的には共通する光ファイバーネットワークであって、通話網２としてＩＰ電話を実現し、通信網３として高速通信を実現しても良い。公衆電話機１は、通話網２を介して交換機４に接続することにより、公衆電話機１のユーザに、通話を提供する。
【００１９】
また公衆電話機１は、通信端末６に無線通信を提供するための、アクセスポイントとして機能する。公衆電話機１は、通信網３を介してアプリケーションサーバ５に接続することにより、ユーザの通信端末６に、アプリケーションサーバ５から提供される情報を提供したり、アプリケーションサーバ５に通信端末６を接続させたりする。
【００２０】
（公衆電話機）
公衆電話機１は、図２に示すように、送受話器１１、入力装置１２、表示装置１３、記憶装置１４、料金投入部１５、回線制御装置１６、通信制御装置１７、アクセスポイント提供装置１８、給電装置１９および処理制御装置３０を備える。
【００２１】
送受話器１１は、ユーザが通話する際に、送話および受話するためのインタフェースである。送受話器１１は、処理制御装置３０による制御に従って動作する。
【００２２】
入力装置１２は、ユーザの指示を処理制御装置３０に入力するための装置である。入力装置１２は、ダイヤルボタン等であって、ユーザが通話する際に、通話先を入力したり、公衆電話機１から取得したい情報等をユーザが指定したりするために、用いられる。
【００２３】
表示装置１３は、処理制御装置３０の処理結果を表示するための装置である。表示装置１３は、ユーザが入力した通話先を表示したり、ユーザが指定した情報を表示したりするために用いられる。
【００２４】
入力装置１２と表示装置１３とは、例えば、タッチパネル等により一体に形成されても良い。
【００２５】
記憶装置１４は、処理制御装置３０による処理が参照したり出力したりするデータを記憶する。記憶装置１４は、ＲＯＭやＲＡＭ等のメモリであっても良いし、ハードディスクやＳＳＤなどであっても良い。
【００２６】
料金投入部１５は、ユーザが公衆電話機１を利用するために投入した硬貨やテレフォンカード等を受けて、処理制御装置３０に投入金額等を入力したり、利用が終了した際に、釣銭やテレフォンカード等を返却したりする。ここで、釣銭を返却する際は、料金投入部１５とは異なる返却口に返却されても良い。また料金投入部１５は、電子マネーの読み取り装置であっても良い。
【００２７】
回線制御装置１６は、通話網２に接続し、公衆電話機１が交換機４に接続し、ユーザによる通話を実現するためのインタフェースである。通信制御装置１７は、通信網３に接続し、公衆電話機１がアプリケーションサーバ５に接続し、ユーザ等による通信を実現するためのインタフェースである。
【００２８】
アクセスポイント提供装置１８は、ユーザが利用する通信端末６と無線で接続し、通信端末６と公衆電話機１が無線で通信するためのインタフェースである。アクセスポイント提供装置１８は、通信制御装置１７と連携して、通信端末６とアプリケーションサーバ５との接続を支援する。
【００２９】
給電装置１９は、通信端末６に給電する装置である。給電装置１９は、充電のためのケーブルと接続し、公衆電話機１が有する電力を、充電ケーブルを介して、通信端末６に供給する。給電装置１９は、公衆電話機１が取得した電力を蓄積するバッテリー（図示せず）を備えても良い。なお、図２には示さないが、公衆電話機１は、電力を得るための電源ケーブル等を備え、電力の供給を受ける。
【００３０】
公衆電話機１はスピーカー（図示せず）を備え、表示装置１３に表示するべき案内やデータを、音声で出力しても良い。
【００３１】
処理制御装置３０は、通話制御手段３１、通信制御手段３２、位置情報提供手段３３、周辺情報提供手段３４および給電制御手段３５を備える。
【００３２】
通話制御手段３１は、回線制御装置１６を用いて、ユーザの通話を制御する。通話制御手段３１は、ユーザが送受話器１１を上げ、料金を投入し、通話先の電話番号を入力すると、回線制御装置１６および通話網２を介して、通話先の電話番号を交換機４に入力して、通話先と通話させる。ユーザが送受話器１１を戻すと、通話制御手段３１は、通話が終了したことを交換機４に通知し、ユーザが投入した料金を精算する。
【００３３】
通信制御手段３２は、アクセスポイント提供装置１８と通信制御装置１７を用いて、通信端末６と通信網３との接続を制御する。通信制御手段３２は、さらに、通信端末６と通信網３との接続に限らず、公衆電話機１の表示装置１３等にアプリケーションサーバ５から取得したデータを表示するなど、公衆電話機１と通信網３との接続も制御する。
【００３４】
通信制御手段３２は、所定の料金の投入を確認後、通信網３との接続サービスを提供するように制御しても良い。例えば、３分あたり１０円等の料金が料金投入部１５から投入されたことが確認されると、通信制御手段３２は、通信網３と接続して、アプリケーションサーバ５等とデータの送受信を開始し、表示装置１３にデータを表示する。
【００３５】
また通信制御手段３２は、３分あたり１０円等の料金が料金投入部１５から投入されたことが確認されると、アクセスポイント提供装置１８を動作させ、通信端末６に無線通信を提供しても良い。この際、公衆電話機１等に記載されたパスワード等を、通信端末６に入力させて、通信制御手段３２は、通信端末６を認証しても良い。また通信制御手段３２は、３分あたり１０円等の料金が料金投入部１５から投入されたことが確認されると、公衆電話機１の表示装置１３に、ＳＳＩＤや、ワンタイムパスワード等を表示して、通信端末６を認証しても良い。
【００３６】
１０円を投入してから３分が経過するなど、ユーザが投入した料金分の接続時間が終了すると、通信制御手段３２は、通信網３との接続や、通信端末６との接続を切断しても良い。
【００３７】
位置情報提供手段３３は、公衆電話機１や通信端末６の位置情報を、通信端末６に提供する。位置情報提供手段３３が公衆電話機１の位置情報を提供する方法はいくつか考えられる。例えば、位置情報提供手段３３は、公衆電話機１の緯度経度などの位置情報や、公衆電話機１の位置が設定された地図データを、通信端末６に入力しても良い。また位置情報提供手段３３は、ＧＰＳに基づいた信号を出力する送信機（図示せず）を介して、通信端末６に信号を受信させ、通信端末６が複数の公衆電話機１や衛星（図示せず）から取得した信号に基づいて、通信端末６に、通信端末６の位置を算出させても良い。
【００３８】
周辺情報提供手段３４は、公衆電話機１の位置や、周辺の情報を記載した地図データを、表示装置１３に表示したり、通信端末６に通知したりする。周辺情報提供手段３４は、通信網３を介してアプリケーションサーバ５に接続し、アプリケーションサーバ５等から、公衆電話機１の周辺地域に関する周辺データを取得して、表示装置１３に表示しても良い。周辺データは、例えば、図４に示すように、公衆電話機１の近辺の避難所情報などの固定的な情報に限らず、渋滞情報や工事中情報など、時々刻々と変化する情報を含む。周辺データは、お勧め店舗やスポット紹介などの地域に関連する情報を含んでも良い。周辺情報提供手段３４はさらに、このような周辺データを通信端末６に提供する。
【００３９】
位置情報提供手段３３や周辺情報提供手段３４は、所定のアプリケーションを動作させる通信端末６に、プッシュ通知等により、位置情報や周辺情報を提供しても良いし、通信端末６からのリクエストに従って、位置情報や周辺情報を提供しても良い。このとき位置情報提供手段３３や周辺情報提供手段３４は、通信端末６の位置を取得して、公衆電話機１から所定の距離内に位置する通信端末６に対して、位置情報や周辺情報を提供しても良い。
【００４０】
給電制御手段３５は、通信端末６への給電を制御する。ユーザが通信端末６を給電装置１９に接続すると、給電制御手段３５は、通信端末６への給電を開始する。ここで給電制御手段３５は、さらに、ユーザが料金投入部１５に料金を投入したことを契機に、通信端末６への給電を開始しても良い。通信端末６と給電装置１９とが切断されたり、ユーザが投入した料金分の給電が完了したりすると、給電制御手段３５は、通信端末６への給電を終了する。
【００４１】
（通信端末）
通信端末６は、記憶装置６０、処理制御装置７０、通信制御装置８１、入力装置８２、表示装置８３、バッテリー８４およびＧＰＳ受信機８５を備える。通信端末６は、スマートフォン、タブレット等の一般的なコンピュータであって、所定の機能を実現するための通信プログラムがインストールされることにより、図３に示す各手段を実装する。
【００４２】
通信制御装置８１は、公衆電話機１と無線で通信するためのインタフェースである。通信制御装置８１は、例えば、Ｗｉ−Ｆｉ等の規格に従って、アクセスポイントである公衆電話機１に接続する。さらに通信制御装置８１は、公衆電話機１および通信網３を介して、アプリケーションサーバ５に接続して、所望のデータを送受信する。
【００４３】
通信端末６の通信制御装置８１は、少なくとも公衆電話機１との通信を実現できればよく、いわゆるキャリアによるモバイルネットワークへの通信をサポートしていなくとも良い。
【００４４】
入力装置８２は、ユーザの指示を、処理制御装置７０に入力するための装置である。入力装置８２は、公衆電話機１との接続を指示したり、アプリケーションサーバ５に接続するための指示を入力したりするために用いられる。
【００４５】
表示装置８３は、処理制御装置７０の処理結果を表示するための装置である。表示装置８３は、ユーザの指示を入力するための画面、および位置データ６１や周辺データ６２を表示したり、アプリケーションサーバ５から取得したデータを表示したりするために用いられる。
【００４６】
バッテリー８４は、通信端末６が、電源に接続しなくとも駆動可能な電力を蓄積する装置である。バッテリー８４は、通信端末６の駆動時に電力を供給するとともに、電源または公衆電話機１の給電装置１９に接続した際には、電源または給電装置１９から電力を充電する。
【００４７】
ＧＰＳ受信機８５は、複数のＧＰＳ衛星（図示せず）からの信号を受信するとともに、公衆電話機１からの信号を受信する。ＧＰＳ受信機８５から取得した信号は、後述の位置特定手段７２によって処理され、通信端末６の位置を特定するために用いられる。
【００４８】
記憶装置６０は、位置データ６１および周辺データ６２を備える。
【００４９】
位置データ６１は、公衆電話機１から取得したデータであって、通信端末６や公衆電話機１の位置を特定可能なデータである。位置データ６１は例えば、公衆電話機１や通信端末６の緯度経度などの位置情報や、公衆電話機１の位置が設定された地図情報などのデータである。また位置データ６１は、複数の公衆電話機１や衛星（図示せず）から取得した信号に基づいて、通信端末６の位置を特定するためのデータであっても良い。
【００５０】
周辺データ６２は、公衆電話機１から取得したデータであって、例えば、公衆電話機１の近辺の避難所情報などの固定的な情報に限らず、渋滞情報や工事中情報など、時々刻々と変化する情報を含む。周辺データ６２は、お勧め店舗やスポット紹介などの地域に関連する情報を含んでも良い。
【００５１】
処理制御装置７０は、無線通信手段７１、位置特定手段７２、周辺情報処理手段７３および充電制御手段７４を備える。
【００５２】
無線通信手段７１は、通信制御装置８１を介して、公衆電話機１やアプリケーションサーバ５と無線で接続する。無線通信手段７１は、公衆電話機１やアプリケーションサーバ５とデータを送受信して、処理する。無線通信手段７１は、公衆電話機１にデータをリクエストしてデータを受信たり、公衆電話機１がプッシュ通信したデータを受信したりする。
【００５３】
位置特定手段７２は、公衆電話機１等から取得したデータに基づいて、公衆電話機１や通信端末６の位置を特定する。位置特定手段７２は、公衆電話機１から、公衆電話機１の位置が設定された地図情報などの位置データ６１を取得して、公衆電話機１の位置を特定したり、通信端末６の位置を推定したりすることが可能になる。また位置特定手段７２は、公衆電話機１から地図情報を受信すると、受信した地図における通信端末６の位置に、通信端末６を示す指示子等を付加して、表示しても良い。
【００５４】
また位置特定手段７２は、ＧＰＳ受信機８５を用いて、複数のＧＰＳ衛星のそれぞれからの距離と、公衆電話機１からの距離を算出して、当該通信端末６の位置を特定しても良い。具体的には位置特定手段７２は、ＧＰＳ受信機８５で、複数のＧＰＳ衛星と、少なくとも一つの公衆電話機１から信号を受信して、ＧＰＳ衛星および公衆電話機１のそれぞれからの距離を算出する。さらに位置特定手段７２は、ＧＰＳ衛星および公衆電話機１のそれぞれからの距離を満たす通信端末６の位置を特定する。また位置特定手段７２は、公衆電話機１からの距離のみならず、方向も特定しても良い。
【００５５】
位置特定手段７２は、ＧＰＳ衛星のみならず、公衆電話機１からの信号も利用して通信端末６の位置を特定することができるので、通常のＧＰＳと比べて、より高精度に位置を特定することができる。
【００５６】
周辺情報処理手段７３は、公衆電話機１から周辺データ６２を取得して記憶装置６０に記憶するとともに、例えば図４に示すような周辺データ６２を、表示装置８３に表示する。
【００５７】
充電制御手段７４は、通信端末６が、公衆電話機１の給電装置１９に接続した後に、公衆電話機１から給電装置１９への充電を制御する。
【００５８】
ここで、無線通信手段７１、位置特定手段７２、周辺情報処理手段７３および充電制御手段７４は、サービスを享受するために料金の支払いが必要な場合、料金の支払いを確認後、処理を開始するように制御されても良い。例えば、ユーザが、公衆電話機１の料金投入部１５に所定の料金を投入し、公衆電話機１からその旨の通知を受けた場合に、無線通信手段７１、位置特定手段７２、周辺情報処理手段７３および充電制御手段７４は、処理を開始するように制御される。
【００５９】
図４を参照して、通信端末６の表示装置８３に表示される地図の一例を説明する。表示装置８３は、地図データを表示するとともに、公衆電話機１および通信端末６のそれぞれの位置に、指示子（アイコン）を表示する。さらに表示装置８３は、避難所やおすすめ観光スポットの位置、渋滞が発生している位置や、工事中の位置を示す位置にも、指示子を表示する。これにより、通信端末６のユーザが周辺地域に慣れていなくとも、公衆電話機１から周辺情報を取得することができる。
【００６０】
なお、本発明の実施の形態において、各サービスが３分あたり１０円で享受できる例を説明したが、これに限られない。サービスの種類によって、料金を個別に設定しても良い。また公衆電話機１は、通信端末６が有するＳＩＭなどの情報を読み取って通信端末６のキャリアを判定し、通信端末６の属するキャリア等によって、無料または有料にするなど、条件によって、適宜料金を設定しても良い。
【００６１】
このような本発明の実施の形態に係るシステムによれば、各地に点在する公衆電話機をアクセスポイントとしての機能を持たせるとともに、通信網３に接続することにより、更にＷｉ−Ｆｉスポットを提供することができる。またモバイルネットワークに接続しない端末を、通信網３に接続させて、情報を取得させることができる。
【００６２】
さらに、公衆電話機１の表示装置１３および通信端末６の表示装置８３が、広告を表示することにより、ユーザは料金を投入することなく、サービスを享受できても良い。また、公衆電話機１は、スピーカー（図示せず）や送受話器１１を介して、音声で、広告を提供しても良い。
【００６３】
また、既存の公衆電話機１は、既に電源設備に接続されていることから、給電装置１９を備えることにより、外出先でのスマートフォンの電源切れに対応することが可能となる。
【００６４】
本発明の実施の形態に係る公衆電話機１は、通信網３への接続や給電設備を有することにより、各種サービスを集約して提供することができるので、各ユーザは、公衆電話機１にたどり着けば、種々の情報を得たり、充電したりすることができる。公衆電話機１は、各ユーザが有する通信端末６の機能を補完し、通信端末６をさらに充実して使用できるよう支援することができる。
【００６５】
また各地に点在する公衆電話機１に各種サービスを提供させることにより、既存の公衆電話機の認知度を有効活用して、ユーザに適切にサービスをすることができる。特に公衆電話機１は、所定料金を支払うことによって、誰でも利用可能な機器であることが周知されている。従ってこのような公衆電話機１がＷｉ−Ｆｉサービスを提供することにより、特別の契約がなくとも、Ｗｉ−Ｆｉ接続可能であると認識されやすく、ユーザに最新の情報を提供することが可能になる。
【００６６】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００６７】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００６８】
１  公衆電話機
２  通話網
３  通信網
４  交換機
５  アプリケーションサーバ
６  通信端末
９  通話通信システム
１１  送受話器
１２，８２  入力装置
１３，８３  表示装置
１４，６０  記憶装置
１５  料金投入部
１６  回線制御装置
１７，８１  通信制御装置
１８  アクセスポイント提供装置
１９  給電装置
３０，７０  処理制御装置
３１  通話制御手段
３２  通信制御手段
３３  位置情報提供手段
３４  周辺情報提供手段
３５  給電制御手段
６１  位置データ
６２  周辺データ
７１  無線通信手段
７２  位置特定手段
７３  周辺情報処理手段
７４  充電制御手段
８４  バッテリー
８５  ＧＰＳ受信機
【図１】
0006626409.tif 000002
【図２】
0006626409.tif 000003
【図３】
0006626409.tif 000004
【図４】
0006626409.tif 000005